(57)【要約】      （修正有）【課題】電子書籍ＥＢと印刷書籍ＰＢとを相補的に利用して読書を楽しむユーザーの利便性を向上させる。【解決手段】電子書籍ＥＢの再生を行う電子書籍リーダー１００において、制御部１１０は、印刷書籍ＰＢの表紙から印刷書籍ＰＢに介挿された栞２００までの距離を表す時間ｔもしくは波数や位相差を、距離センサー１５０を利用して取得し、時間ｔもしくは波数や位相差に基づいて栞２００の介挿位置を特定し、印刷書籍ＰＢに対応付けられている電子書籍ＥＢを再生するにあたって栞２００の介挿位置に対応する箇所から再生する。【選択図】図３
2012121267.tif 000002
【特許請求の範囲】
【請求項１】
電子書籍の再生を行う電子書籍再生装置において、
印刷書籍の表紙から当該印刷書籍に介挿された栞までの距離を表す距離相当値を、距離センサーを利用して取得する距離取得部と、
前記距離相当値に基づいて前記栞の介挿位置を特定する介挿位置特定部と、
前記印刷書籍に対応する電子書籍を再生するにあたって前記介挿位置に対応する箇所から再生する再生部と、
を備えることを特徴とする電子書籍再生装置。
【請求項２】
前記介挿位置特定部は、前記表紙から前記印刷書籍の第１ページまでの厚みと前記距離取得部の取得した距離相当値に応じた距離との差分を前記印刷書籍の単位ページあたりの厚みで除算することにより前記栞の介挿位置を特定する請求項１に記載の電子書籍再生装置。
【請求項３】
前記介挿位置特定部は、
前記印刷書籍の第１ページへの前記栞の介挿を指示する表示を所定の表示部に行い、前記栞が前記第１ページに介挿されると、前記表紙から前記栞までの距離相当値を前記距離取得部に取得させ、
前記第１ページ以外の所定ページへの前記栞の介挿を指示する表示を前記所定の表示部に行い、前記栞が前記所定ページに介挿されると、前記表紙から前記栞までの距離相当値を前記距離取得部に取得させ、
前記表紙から前記第１ページまでの距離相当値に応じた距離と前記表紙から前記所定ページまでの距離相当値に応じた距離との差分を前記所定ページのページ数で除算して前記印刷書籍の単位ページあたりの厚みを取得する請求項１または請求項２に記載の電子書籍再生装置。
【請求項４】
前記介挿位置特定部は、前記所定ページのページ数の入力を指示する表示を前記所定の表示部に行い、所定の操作部から入力されたページ数を前記所定ページとして取得する請求項３に記載の電子書籍再生装置。
【請求項５】
前記距離取得部が前記距離相当値のいずれかを取得する際は、一部を露出しつつ前記印刷書籍に介挿された前記栞の露出部分と前記印刷書籍の表紙面の同一平面上にある距離センサーとの間に遮蔽物が無く、前記距離センサーと前記栞の露出部分とが対面配置された状態とされる請求項１〜請求項４の何れか１項に記載の電子書籍再生装置。
【請求項６】
前記栞は、識別子を記憶した記憶媒体を備え、
前記介挿位置特定部は、非接触で前記記憶媒体から読取った前記識別子に関連付けられている電子書籍を前記印刷書籍に対応する電子書籍と識別する請求項１〜請求項５の何れか１項に記載の電子書籍再生装置。
【請求項７】
前記介挿位置特定部は、非接触で前記記憶媒体から読取った識別子に電子書籍が関連付けられていないとき、電子書籍の選択画面を所定の表示部に表示し、当該選択画面において選択された電子書籍を前記識別子に関連付ける請求項６に記載の電子書籍再生装置。
【請求項８】
電子書籍の再生を行う電子書籍再生装置と印刷書籍に介挿される栞とを備える読了位置同期システムにおいて、
前記栞は、識別子を記憶した記憶媒体を備え、
前記電子書籍再生装置は、
前記印刷書籍の表紙から前記印刷書籍に介挿された前記栞までの距離を表す距離相当値を、距離センサーを利用して取得する距離取得部と、
非接触で前記記憶媒体から読取った前記識別子に関連付けられている電子書籍を前記印刷書籍に対応する電子書籍と識別し、前記距離相当値に基づいて特定した前記栞の介挿位置を、前記印刷書籍に対応付けられている電子書籍に対応付ける介挿位置特定部と、
前記印刷書籍に対応する電子書籍を再生するにあたって前記介挿位置に対応する箇所から再生する再生部と、
を備えることを特徴とする読了位置同期システム。
【請求項９】
電子書籍の再生を行う電子書籍再生装置と印刷書籍に装着されるブックカバーとを備える読了位置同期システムにおいて、
前記ブックカバーは、前記印刷書籍に介挿される栞部と、前記印刷書籍に介挿された前記栞までの距離を表す距離相当値を、距離センサーを利用して取得する距離取得部と、識別子を記憶した記憶媒体とを備え、
前記電子書籍再生装置は、
前記印刷書籍の表紙から前記印刷書籍に介挿された前記栞部までの距離を表す距離相当値を、前記ブックカバーと通信を行って取得する距離取得部と、
非接触で前記記憶媒体から読取った前記識別子に関連付けられている電子書籍を前記印刷書籍に対応する電子書籍と識別し、前記距離相当値に基づいて特定した前記栞部の介挿位置を、前記印刷書籍に対応付けられている電子書籍に対応付ける介挿位置特定部と、
前記印刷書籍に対応する電子書籍を再生するにあたって前記介挿位置に対応する箇所から再生する再生部と、
を備えることを特徴とする読了位置同期システム。
【発明の詳細な説明】
【技術分野】
【０００１】
本発明は電子書籍再生装置および読了位置同期システムに関し、特に、電子書籍と印刷書籍との間でページ同期が可能な電子書籍再生装置および読了位置同期システムに関する。
【背景技術】
【０００２】
近年、電子書籍が普及がめざましい。しかし、携帯性・検索性等の面で電子書籍に多くのメリットがある一方、印刷書籍（紙やプラスチック等の印刷媒体に印刷された書籍）に慣れ親しんだユーザーにとっては不満を感じる面もある。このような不満を解消するための技術として、例えば、特許文献１，２の技術が開示されている。
【０００３】
特許文献１は、電子書籍の読書中に複数のページにマーキング可能な栞機能を備えた電子書籍にかかるものであり、マーキングしたページの一部分をサムネイル表示可能になっている。これにより、単純にサムネイルすると内容が分からないところを、内容が分かるように表示して管理できる。
特許文献２は、見開きタイプの電子書籍端末であり、電子書籍の情報（タイトルやページ情報等）を閉じた状態の表面に設置された液晶ディスプレイに表示可能としてある。これにより、電子書籍端末を閉じた状態であっても、栞を付与した位置を液晶ディスプレイに表示可能となり、栞の介挿位置を容易に把握できるようになる。
【先行技術文献】
【特許文献】
【０００４】
【特許文献１】特開２００６−３３８１４２号公報
【特許文献２】特開２００３−２４１８８３号公報
【発明の概要】
【発明が解決しようとする課題】
【０００５】
以上のように、電子書籍の利便性を向上する試みは種々なされているが、印刷書籍を好むユーザーも未だ多い。このような実状から、例えば通勤中のように移動している間は電子書籍での読書を楽しみつつ、自宅やオフィスのように移動していないときは印刷書籍での読書を楽しむ、といった相補的な利用形態が考えられる。ただし、このような利用形態においては、読書メディアを変えて読書を再開する際に、特に紙媒体の書籍での読書を行った後に電子書籍での読書を行う際に、紙媒体の書籍で読み進んだ箇所がすぐに表示されず、不便である。むろん、逆に電子書籍での読書を行った後に神媒体の書籍での読書を行う際にも、電子書籍で読み進んだ箇所のページを探す必要があり、やはりすぐに読書を再開することが出来ない。
【０００６】
本発明は、前記課題に鑑みてなされたもので、電子書籍と印刷書籍とを相補的に利用して読書を楽しむユーザーの利便性を向上させることが可能な電子書籍再生装置および読了位置同期システムの提供を目的とする。
【課題を解決するための手段】
【０００７】
前記課題を解決するために本発明にかかる電子書籍再生装置は、電子書籍の再生を行う電子書籍再生装置において、距離取得部と介挿位置特定部と再生部とを備えている。
【０００８】
前記距離取得部は、印刷書籍の表紙から当該印刷書籍に介挿された栞までの距離に応じた距離相当値を、距離センサーから取得する。なお、前記印刷書籍とは、紙やプラスチック等の印刷媒体に印刷された書籍を意味し、電子書籍とは、文字・画像・音声等の電子データであって、前記電子書籍再生装置により再生可能なものを言う。また、前記栞は、前記印刷書籍の任意のページに介挿して栞として利用可能であればどのようなものであってもよく、例えば、付箋のようなものであってもよいし、ブックカバーの折返し部分であってもよい。
前記距離センサーは、電子書籍再生装置に内蔵されていてもよいし、外部にあってもよい。外部にある場合は、距離センサーもしくは距離センサーを備える装置との間で所定の通信を行って、距離センサーの測定した距離相当値を取得する。ここで言う距離相当値は、距離を表す値であればどのようなものであってもよく、むろん、距離そのものであっても構わない。印刷書籍の表紙から当該印刷書籍に介挿された栞までの距離とは、印刷書籍の表紙と略同一の平面と栞の介挿されたページと略同一の平面との距離である。
【０００９】
前記介挿位置特定部は、前記距離取得部の取得した距離相当値に基づいて前記栞の介挿位置を特定する。前記距離は、前記栞の介挿位置に応じて変動するものであり、前記栞の介挿位置が進むとその分だけ距離も増加し、前記栞の介挿位置が戻るとその分だけ距離も減少する。すなわち、前記距離の変動は、前記栞の介挿位置の変動に正比例する。従って、前記距離相当値に基づいて前記栞の介挿位置を、単純な計算により特定することができる。
【００１０】
前記再生部は、前記印刷書籍に対応する電子書籍を再生する際に前記介挿位置に応じた箇所から再生する。ここでは、前記印刷書籍と前記電子書籍との対応関係が予め規定されているものとする。むろん、後述の態様のように、前記印刷書籍と前記電子書籍との対応関係が未定の場合には、前記栞を介挿された前記印刷書籍と前記電子書籍との対応関係を新しく規定することも可能である。なお、前記介挿位置特定部は、前記栞の介挿位置を所定の記憶部に記憶してもよく、この場合、前記再生部は、前記所定の記憶部に記憶されている前記介挿位置に応じた箇所から前記印刷書籍に対応する電子書籍を再生する。このようにいったん前記栞の介挿位置を記憶媒体に記憶すれば、ページを特定して一旦電子書籍再生装置の電源を切り、その後、電子書籍を再生する場合等に好適となる。
【００１１】
以上の構成によれば、前記印刷書籍における前記栞の介挿位置に対応した箇所から前記電子書籍の再生が開始されるため、前記印刷書籍の読書を中断した位置に前記栞を介挿しておけば、次に前記印刷書籍に対応する電子書籍で読書を再開するときに前記栞の介挿位置に対応する箇所から電子書籍が再生される。ここで言う再生とは、電子書籍にかかる文字、画像、音声等のデータを再生することを意味し、その結果、電子書籍再生装置の所定の表示部に文字が表示されたり画像が表示されたり音声が朗読されたりする。
【００１２】
＜請求項２＞
また、本発明の選択的な一態様は、前記介挿位置特定部は、前記表紙から前記印刷書籍の第１ページまでの厚みと前記距離相当値に応じた距離との差分を前記印刷書籍の単位ページあたりの厚みで除算することにより前記栞の介挿位置を特定する構成とされる。
当該構成において、前記表紙から前記印刷書籍の第１ページまでの厚みや前記印刷書籍の単位ページあたりの厚みは、既存の情報を利用してもよいし、最初に前記印刷装置における前記栞の介挿位置を特定する際に、前記距離センサーを用いて前記表紙から前記印刷書籍の第１ページまでの厚みを測定し、前記栞の介挿位置におけるページ数の入力をユーザーから受付けることにより、算出してもよい。
前記距離から前記印刷書籍の第１ページまでの厚みを差し引くと、前記栞の介挿位置の比例値となり、この比例値を前記印刷書籍の単位ページあたりの厚みで除算すれば、前記栞の介挿位置（介挿されたページ数）を取得することが出来る。すなわち、前記栞の介挿位置を正確に求めることが出来るようになる。むろん、正確な介挿位置が不要であれば、前記距離に応じて概算される介挿位置を前記栞の介挿位置としてもよく、例えば印刷書籍の総厚みに対する前記距離の割合に応じたページを前記栞の介挿位置とすることもできる。
【００１３】
＜請求項３＞
本発明の選択的な一態様は、前記介挿位置特定部は、前記印刷書籍の第１ページへの前記栞の介挿を指示する表示を所定の表示部に行い、前記栞が前記第１ページに介挿されると、前記表紙から前記第１ページに介挿された前記栞までの距離に応じた距離相当値を前記距離取得部に取得させ、前記第１ページ以外の所定ページへの前記栞の介挿を指示する表示を前記所定の表示部に行い、前記栞が前記所定ページに介挿されると、前記表紙から前記栞までの距離に応じた距離相当値を前記距離取得部に取得させ、前記表紙から前記第１ページまでの距離相当値に応じた距離と前記表紙から前記所定ページまでの距離相当値に応じた距離との差分を前記所定ページのページ数で除算することにより前記印刷書籍の単位ページあたりの厚みを特定する構成とされる。
当該構成によれば、前記栞の介挿位置を正確に特定するために必要になる情報（前記表紙から第１ページまでの厚み、前記印刷書籍の単位ページあたりの厚み）を簡易な操作で取得できる。
【００１４】
＜請求項４＞
本発明の選択的な一態様は、前記介挿位置特定部は、前記所定ページのページ数の入力を指示する表示を前記所定の表示部に行い、所定の操作部から入力されたページ数を前記所定ページとして取得する構成とされる。
当該構成によれば、前記所定ページをユーザーの任意のページとすることが可能となり、例えば、前記所定ページとして前記印刷書籍において読書を中断したページとすることにより、上述した単位ページあたりの厚みの特定と同時に、前記印刷書籍における読書を中断した位置（前記栞の介挿位置）を特定することができる。
【００１５】
＜請求項５＞
本発明の選択的な一態様は、前記距離取得部が前記距離相当値のいずれかを取得する際は、一部を露出しつつ前記印刷書籍に介挿された前記栞の露出部分と前記表紙の同一平面上に配置された距離センサーとの間に遮蔽物が無く前記距離センサーと前記栞の露出部分とが対面配置された状態とされる構成とされる。
当該構成によれば、前記栞と前記距離センサーとの間に空気以外の遮蔽物が無いため、前記栞の介挿位置に対応する距離に応じた距離相当値を正確に取得可能となり、前記栞の介挿位置をより正確に特定可能となる。
【００１６】
＜請求項６＞
本発明の選択的な一態様は、前記栞は識別子を記憶した記憶媒体を備え、前記介挿位置特定部は非接触で前記記憶媒体から読み取った前記識別子に関連付けられている電子書籍を前記印刷書籍に対応する電子書籍と識別する構成とされる。
当該構成によれば、前記電子書籍と前記印刷書籍とを前記栞の備える記憶媒体に記憶された識別子を介在させて対応づけることが可能となる。また、前記記憶媒体は前記識別子を非接触で読み取り可能であるため、前記栞と前記電子書籍再生装置との接続などは不要であり、前記栞と前記電子書籍再生装置とがある程度離れていても前記識別子を読み取って、前記栞の介挿された印刷書籍に対応する電子書籍を識別することができる。
【００１７】
＜請求項７＞
本発明の選択的な一態様は、前記介挿位置特定部は、非接触で前記記憶媒体から読み取った識別子に電子書籍が関連付けられていないとき、電子書籍の選択画面を所定の表示部に表示し、当該選択画面において選択された電子書籍を前記識別子に関連付ける構成とされる。
当該構成によれば、前記印刷書籍と電子書籍の対応関係が不明な場合や、新しい印刷書籍の読書を開始した場合等に、ユーザーが適切な電子書籍を前記印刷書籍に対応付けることが可能となる。
【００１８】
＜請求項８＞
本発明の選択的な一態様は、電子書籍の再生を行う電子書籍再生装置と印刷書籍に介挿される栞とを備える読了位置同期システムにおいて、
前記栞は、識別子を記憶した記憶媒体を備え、
前記電子書籍再生装置は、
前記印刷書籍の表紙から前記印刷書籍に介挿された前記栞までの距離を表す距離相当値を、距離センサーを利用して取得する距離取得部と、
非接触で前記記憶媒体から読取った前記識別子に関連付けられている電子書籍を前記印刷書籍に対応する電子書籍と識別し、前記距離相当値に基づいて特定した前記栞の介挿位置を、前記印刷書籍に対応付けられている電子書籍に対応付ける介挿位置特定部と、
前記印刷書籍に対応する電子書籍を再生するにあたって前記介挿位置に対応する箇所から再生する再生部と、
を備える構成とされる。
【００１９】
＜請求項９＞
電子書籍の再生を行う電子書籍再生装置と印刷書籍に装着されるブックカバーとを備える読了位置同期システムにおいて、
前記ブックカバーは、前記印刷書籍に介挿される栞部と、前記印刷書籍に介挿された前記栞までの距離を表す距離相当値を、距離センサーを利用して取得する距離取得部と、識別子を記憶した記憶媒体とを備え、
前記電子書籍再生装置は、
前記印刷書籍の表紙から前記印刷書籍に介挿された前記栞部までの距離を表す距離相当値を、前記ブックカバーと通信を行って取得する距離取得部と、
非接触で前記記憶媒体から読取った前記識別子に関連付けられている電子書籍を前記印刷書籍に対応する電子書籍と識別し、前記距離相当値に基づいて特定した前記栞部の介挿位置を、前記印刷書籍に対応付けられている電子書籍に対応付ける介挿位置特定部と、
前記印刷書籍に対応する電子書籍を再生するにあたって前記介挿位置に対応する箇所から再生する再生部と、
を備える構成とされる。
【００２０】
なお、上述した電子書籍再生装置は、他の機器に組み込まれた状態で実施されたり他の方法とともに実施されたりする等の各種の態様を含む。
【発明の効果】
【００２１】
以上説明したように本発明によれば、ユーザーは、印刷書籍から電子書籍へと読書媒体を変更する際にスムーズに読書を継続できるようになり、読書媒体を気軽に変更して読書を続けることが可能な電子書籍再生装置を提供することができる。
請求項２にかかる発明によれば、栞の介挿位置を正確に求めることが出来るようになる。
請求項３にかかる発明によれば、栞の介挿位置を正確に特定するために必要になる情報を簡易な操作で取得できる。
請求項４にかかる発明によれば、単位ページあたりの厚みの特定と同時に、印刷書籍における読書を中断したページを特定することができる。
請求項５にかかる発明によれば、栞の介挿位置をより正確に特定可能となる。
請求項６にかかる発明によれば、栞と電子書籍再生装置とを接続・接触させることなく栞の介挿された印刷書籍に対応する電子書籍を識別することができる。
請求項７にかかる発明によれば、ユーザーが適切な電子書籍を前記印刷書籍に対応付けることが可能となる。
請求項８，９にかかる発明によれば、読書媒体を気軽に変更して読書を続けることが可能な読了位置同期システムを提供できる。
【図面の簡単な説明】
【００２２】
【図１】読了位置同期システムの概略構成を示す模式図である。
【図２】第１実施形態にかかる読了位置同期システムの電気的構成を示すブロック図である。
【図３】栞を介挿された印刷書籍を、印刷書籍の前小口側から見て示した平面図である。
【図４】第１実施形態にかかるページ同期処理の流れを示すフローチャートである。
【図５】印刷書籍に介挿された栞のページ数算出にかかるイメージ図である。
【図６】第１実施形態にかかる栞登録処理の流れを示すフローチャートである。
【図７】読了位置同期システムの利用態様を説明する図である。
【図８】ページ情報の無い電子書籍と印刷書籍のページ対応関係を示す説明図である。
【図９】第２実施形態にかかる読了位置同期システムの電気的構成を示すブロック図である。
【図１０】第２実施形態にかかるブックカバーの形状を示す平面図である。
【図１１】読書を中断したページに栞部を介挿した状態を、印刷書籍の背側から見て示した平面図である。
【図１２】第２実施形態にかかるページ同期処理の流れを示すフローチャートである。
【図１３】第２実施形態にかかるブックカバー登録処理の流れを示すフローチャートである。
【図１４】変形例２にかかる栞登録処理の流れを示すフローチャートである。
【図１５】変形例５にかかる露出部を説明する平面図である。
【発明を実施するための形態】
【００２３】
以下、下記の順序に従って本発明の実施形態を説明する。
（１）ページ同期システムの構成：
（２）第１実施形態にかかる電子書籍リーダーの構成：
（３）第１実施形態にかかるページ同期処理：
（４）第２実施形態にかかる電子書籍リーダーの構成：
（５）第２実施形態にかかるページ同期処理：
（６）まとめと変形例：
【００２４】
（１）ページ同期システムの構成： 
図１は、以下に説明する各実施形態にかかるページ同期システムの概略構成を示す模式図である。同図に示すように、ページ同期システムＳは、電子書籍リーダー１００と栞２００とを備えており、栞２００を介して電子書籍リーダー１００に記憶されている印刷書籍ＰＢの読了位置を電子書籍ＥＢに同期できるようになっている。ここで、電子書籍リーダー１００とは、電子書籍ＥＢの電子データに基づいて文字情報や画像情報を画面に表示するものに限らず、電子書籍ＥＢの電子データに基づいて音声を出力（朗読）する機能を備えていてもよい。なお、印刷書籍ＰＢとは、印刷面に文字・図形等を印刷した複数枚の印刷媒体（紙、プラスチック等）を製本したものである。また、電子書籍ＥＢとは、文字や図形などを含む電子データであって、電子機器のディスプレイで読むことが出来るものであり、例えば、「ＥＰＵＢ」、「ｘｍｄｆ」、「．ｂｏｏｋ」、「ＡＺＷ」、「ＰＤＦ」、プレーンテキスト等のフォーマットが代表的である。
【００２５】
（２）第１実施形態の構成：
次に、図２を参照して、電子書籍リーダー１００の電気的構成を説明する。同図は第１実施形態にかかるページ同期システムＳ１の電気的構成をブロック図にて示してある。同図において、電子書籍リーダー１００は、電子書籍リーダー１００の制御主体となる制御部１１０と、文字や画像を画面に表示可能なディスプレイ１２０と、各種データを記憶可能なメモリー１３０と、ユーザーの操作入力を受付けるインターフェースとなる操作部１４０と、対象物との距離に応じた電気信号を出力する距離センサー１５０と、周囲所定範囲（ＲＦ（Radio Frequency）による通信可能範囲）にあるＲＦ（Radio Frequency）タグからＩＤを取得するＲＦタグリーダー１６０と、を備えている。なお、本第１実施形態では、電子書籍リーダー１００が電子書籍再生装置を構成する。
【００２６】
＜制御部＞
制御部１１０は、例えばＣＰＵとＲＡＭにより実現されるプログラム実行環境を備えており、メモリー１３０に格納されている制御プログラムを当該プログラム実行環境において実行することにより電子書籍リーダー１００を制御する。制御部１１０は、主として、ディスプレイ１２０に対する電子書籍ＥＢのコンテンツ表示、不図示のスピーカを利用した電子書籍ＥＢの朗読、栞２００のＲＦタグの読取りや栞の介挿ページの特定等により行う印刷書籍ＰＢと電子書籍ＥＢのページ同期、後述の通信Ｉ／Ｆ（通信Ｉ／Ｆ３７０等）を介して行う通信、等を制御する。むろん、同様の制御を実行可能なＩＣチップ等の回路で制御部１１０を構成してもよい。なお、本第１実施形態や後述する第２実施形態においては、制御部１１０が、距離取得部、介挿位置特定部、再生部を構成する。
【００２７】
＜ディスプレイ＞
ディスプレイ１２０は、例えば薄型ディスプレイの構成とされ、薄型ディスプレイの駆動回路を含んで構成される。ディスプレイ１２０は、制御部１１０の制御に従い、電子書籍ＥＢのコンテンツ、ＵＩ（User Interface）、等を画面に表示する。薄型ディスプレイとしては、液晶ディスプレイ、電子ペーパー及び有機ＥＬディスプレイ等の公知の薄型ディスプレイを採用できることは言うまでもないが、今後開発されるいかなる薄型ディスプレイであっても当然に採用可能である。
【００２８】
＜メモリー＞
メモリー１３０は、書き換え可能な不揮発性の記憶媒体を備えており、当該記憶媒体に対するデータの読み書きを行う制御回路を含んで構成される。メモリー１３０の記録方式は特に限定されず、電気的、磁気的、光学的、光磁気的、等、如何なる記録方式であってもよい。メモリー１３０は、電子書籍ＥＢの電子データや制御部１１０が実行する電子書籍リーダー１００の制御プログラム等の各種データを記憶する他、制御部１１０が制御プログラムを実行して生成する各種の情報（例えば、印刷書籍ＰＢの読了位置にかかる情報）等も記憶することができる。なお、本明細書ではメモリー１３０を単体として記載してあるが、むろん、用途や記憶データ毎に複数のメモリーで構成してもよい。
【００２９】
＜操作部＞
操作部１４０は、図１に例示したように複数のボタンで構成できる。ユーザーは、操作部１４０のボタンを適宜に操作し、制御部１１０に対して各種の操作入力を行う。操作入力が行われると、制御部１１０はユーザーが操作部１４０に行った操作に基づいて各種の制御を行う。なお、操作部１４０としては、複数のボタン以外にも公知の各種の操作入力デバイスを採用できるし、ディスプレイ１２０がタッチパネルの構成を有するのであれば当該タッチパネルを操作部１４０としてもよい。むろん、今後開発される如何なる操作入力デバイスも操作部１４０に採用可能である。
【００３０】
＜距離センサー＞
距離センサー１５０は、測定媒体を用いて対象物（本第１実施形態では栞２００）との距離を測定するものであり、測定結果にかかる情報出力可能になっている。測定結果にかかる情報は、制御部１１０へ出力される。本明細書に記載の距離センサー１５０は、測定媒体として超音波や電磁波、光等のように空気中を伝送して非接触式で対象との距離を測定可能な媒体を用いている。なお、以下に説明する距離センサー１５０の出力する時間ｔ、波数や位相差、は本第１実施形態や後述する第２実施形態において距離相当値を構成する。
【００３１】
＜超音波を用いた距離センサー＞
超音波を用いる場合、距離センサー１５０は、超音波の信号波を栞２００へ送信する送信部と、栞２００で反射した超音波を受信する受信センサーと、受信センサーの受信した超音波に基づいて栞２００までの距離を計算する演算部と、を備える。
演算部は、例えば、送信部が超音波を送信してから当該超音波の反射波が受信センサーに到達するまでの時間ｔ［ｓ］を計測している。この時間ｔ［ｓ］が距離を表す情報として、制御部１１０へ出力される。ここで、印刷書籍ＰＢの１ページあたりの厚みｄ０を約０．１［ｍｍ］、超音波の速度を３４４［ｍ／ｓ］、とすると、制御部１１０は、時間ｔ［ｓ］を超音波が厚み０．１［ｍｍ］の往復に要する時間０．５８［μｓ］で除算して、栞２００が挟まれたページ数を算出することができる。
むろん、演算部は、送信部から送信された超音波の反射波が受信センサーに受信されるまでの波数と位相差を計測して出力してもよく、この場合、制御部１１０は、波数と位相差とに基づいて栞２００との距離ｄ［ｍｍ］を計算し、距離ｄ［ｍｍ］を印刷書籍ＰＢの１ページあたりの厚みｄ０で除算して栞２００が挟まれたページ数を算出する。なお、以下の電磁波を用いる場合や光を用いる場合も同様であるが、受信センサーの出力信号に基づくページ数の算出処理は、演算部と制御部１１０とで任意に役割分担可能である。
【００３２】
＜電磁波を用いた距離センサー＞
電磁波を用いる場合、距離センサー１５０は、電磁波の信号波を栞２００へ送信する送信部と、栞２００で反射した電磁波を受信する受信センサーと、受信センサーの受信した電磁波に基づいて栞２００までの距離を計算する演算部と、を備える。
演算部は、例えば、送信部が電磁波を送信してから当該電磁波の反射波が受信センサーに到達するまでの時間ｔ［ｓ］を計測している。この時間ｔ［ｓ］が距離を表す情報として、制御部１１０へ出力される。ここで、印刷書籍ＰＢの１ページあたりの厚みｄ０を約０．１［ｍｍ］とすると、制御部１１０は、時間ｔ［ｓ］を電磁波が厚み０．１［ｍｍ］の往復に要する時間０．３３［ｐｓ］で除算して、栞２００が挟まれたページ数を算出することができる。
むろん、演算部は、送信部が電磁波を送信してから当該電磁波の反射波が受信センサーに受信されるまでの波数と位相差を計測して出力してもよく、この場合、制御部１１０は波数と位相差とに基づいて栞２００との距離ｄ［ｍｍ］を計算し、距離ｄ［ｍｍ］を印刷書籍ＰＢの１ページあたりの厚みｄ０で除算して栞２００が挟まれたページ数を算出する。
なお、電磁波を用いた距離センサーには、例えば、対物センサーやドップラーセンサーとして使われることの多いＩＳＭ （Industry-Science-Medical）バンドの２４［ＧＨｚ］等の電磁波を利用したものを採用できる。
【００３３】
＜光を用いた距離センサー＞
光を用いる場合、距離センサー１５０は、光の信号波を栞２００へ送信する送信部と、栞２００で反射した光を受信する受信センサーと、受信センサーの受信した光に基づいて栞２００までの距離を計算する演算部と、を備える。
演算部は、例えば、送信部が光を送信してから当該光の反射光が受信センサーに到達するまでの時間ｔ［ｓ］を計測している。この時間ｔ［ｓ］が距離を表す情報として、制御部１１０へ出力される。ここで、印刷書籍ＰＢの１ページあたりの厚みｄ０を約０．１［ｍｍ］とすると、制御部１１０は、時間ｔ［ｓ］を光が厚み０．１［ｍｍ］の往復に要する時間０．３３［ｐｓ］で除算して、栞２００が挟まれたページ数を算出することができる。
むろん、演算部は、送信部が発光してから反射光が受信センサーに到達するまでの波数と位相差を計測して出力してもよく、この場合、制御部１１０は、波数と位相差とに基づいて栞２００との距離ｄ［ｍｍ］を計算し、距離ｄ［ｍｍ］を印刷書籍ＰＢの１ページあたりの厚みｄ０で除算して栞２００が挟まれたページ数を算出する。
なお、光を用いた距離センサーには、例えば、赤外線や赤色ＬＥＤ（Light emitting diode）を利用したものを採用できる。
【００３４】
＜ＲＦタグリーダー＞
ＲＦタグリーダー１６０は、ＲＦタグ２１０の備える記憶媒体に記憶されているＲＦＩＤを取得する。ＲＦＩＤは、本第１実施形態や後述する第２実施形態において、識別子を構成する。ＲＦタグ２１０の備える記憶媒体は一般的には半導体メモリで構成されており、ＲＦタグリーダー１６０は誘導電磁界または電波を用いた非接触の近距離通信によってＲＦタグの半導体メモリに記憶されたＲＦＩＤを読み出すことができる。本第１実施形態においては、栞２００がＲＦタグ２１０を備えており、ＲＦタグリーダー１６０はＲＦタグ２１０と通信することにより栞２００に固有のＲＦＩＤを取得することができる。
なお、ＲＦタグ２１０は、パッシブ方式、アクティブ方式、セミパッシブ方式の何れであってもよく、パッシブ方式やセミパッシブ方式のＲＦタグを採用する場合は、ＲＦタグリーダー１６０は、ＲＦタグ２１０との交信機能に加えて、ＲＦタグリーダー１６０からＲＦタグ２１０へ電力を伝送する機能を備える。
【００３５】
＜栞の説明＆栞と距離センサーの位置関係＞
ここで、図３を参照して、読了位置を同期するときの距離センサー１５０と栞２００との位置関係を説明する。同図では、栞２００を介挿された印刷書籍ＰＢを、印刷書籍ＰＢの前小口側から見て示してある。
＜栞の介挿状態＞
同図に示すように、栞２００は、印刷書籍ＰＢに介挿されている介挿部２２０と、印刷書籍ＰＢから露出している露出部２３０と、に区別できる。ただし、この区別は一意に定まるものでは無く、ユーザーが栞２００を介挿したときに印刷書籍ＰＢに介挿されている部位を介挿部２２０と呼び、介挿されていない部位が露出部２３０と呼ぶという程度の区別である。すなわち、介挿部２００と露出部２３０は、実際に栞２００が印刷書籍ＰＢに介挿されたときの状態に応じて決まるものである。
栞２００が印刷書籍ＰＢに介挿されると、露出部２３０は介挿されたページとほぼ同一の平面Ａ上に維持される。
【００３６】
＜距離センサーの配設場所＞
一方、電子書籍リーダー１００は、何れかの面に距離センサー１５０が設けられている。距離センサー１５０が設けられる面は、少なくとも、当該面を他の平面に当接させたときに距離センサー１５０が当該他の平面とほぼ同一の平面上に維持されるようになっている。すなわち、電子書籍リーダー１００の距離センサー１５０が設けられている面を印刷書籍ＰＢの表紙に当接させると、距離センサー１５０は印刷書籍ＰＢの表紙とほぼ同一の平面Ｂ上に維持される。
【００３７】
以上のように栞２００を印刷書籍ＰＢに介挿し、電子書籍リーダー１００を印刷書籍ＰＢの表紙に当接させた結果として、栞２００の露出部２３０が維持される平面Ａと距離センサー１５０が維持される平面Ｂはほぼ平行になり、平面Ａと平面Ｂの距離は印刷書籍ＰＢの表紙から栞２００の介挿されたページまでの厚みにほぼ等しくなる。
【００３８】
＜対面配置＞
また、読了位置の同期を行う時は、上述したように電子書籍リーダー１００と栞２００とを配置しつつ、距離センサー１５０と栞２００とが対面するように電子書籍リーダー１００と栞２００とを配置する。その結果、距離センサー１５０は、距離センサー１５０から発信されて露出部２３０にて反射する測定媒体の中の露出部２３０で垂直に反射した成分を受信するようになる。すなわち、距離センサー１５０は、印刷書籍ＰＢの表紙から栞２００の介挿されたページまでの厚みにほぼ等しい、平面Ａと平面Ｂの最短距離を往復した測定媒体を受信することとなる。よって、印刷書籍ＰＢの表紙から栞２００の介挿されたページまでの厚みを、正確に測定できるようになる。
【００３９】
＜反射部の形成＞
なお、露出部２３０は、距離センサー１５０が用いる測定媒体を良好に反射することが好ましいことから反射部２４０が形成されている。
例えば、測定媒体が光の場合は、露出部２３０に光の反射特性が良好な反射板を設けて反射部２４０とすることができる。
例えば、測定媒体が超音波の場合は、露出部２３０に超音波の反射特性が良好な反射板を設けて反射部２４０とすることができる。
例えば、測定媒体が電磁波の場合は、露出部２３０に電磁波の反射率の高い金属等で作成された反射板を設けて反射部２４０とすることができる。
むろん、これらは一例であり、その他、各種の公知技術を採用可能である。なお、栞２００自体の反射特性が良好であったり栞２００の全体を反射板としたりすれば、栞２００のいずれの部位も反射部２４０として利用可能となり、ユーザーは、栞２００における反射部２４０の形成部位を意識せずに栞２００を利用できる。
【００４０】
＜伝送経路＞
また、栞２００の反射部２４０と距離センサー１５０との間には、空気以外の遮蔽物が無いことが好ましい。上述した測定媒体（電磁波、音波、光等）は測定経路の媒質に応じて、伝送に要する時間等が変わるが、測定媒体の伝送経路における媒質が常に空気とすることにより媒質の差による変動が無くなり、距離センサー１５０による測定結果が安定する。よって、ページ同期をより正確に行えるようになる。
【００４１】
（３）第１実施形態にかかるページ同期処理： 
（３−１）ページ同期処理：
図４は、第１実施形態にかかるページ同期処理の流れを示すフローチャートである。同図に示すページ同期処理は、制御部１１０によって所定時間おきに周期的に実行されている。
【００４２】
処理が開始されると、栞２００の検出を行い（Ｓ１００）、栞２００が検出された場合はステップＳ１０５へ進み（Ｓ１００：Ｙｅｓ）、栞２００が検出されない場合は処理を終了する（Ｓ１００：Ｎｏ）。
より具体的には、栞２００の検出を行うために、ＲＦタグリーダー１６０はＲＦタグ２１０を制御するためのコマンドのデータを符号化し、所定の変調を施した後、アンテナから空中へ送信する。ＲＦタグ２１０は、ＲＦタグリーダー１６０の送信した電波を受信可能であれば、電波を受信・復調してコマンドを理解し、コマンドの指示に従って記憶媒体からＲＦＩＤのデータを読み出し、所定の変調を施してＲＦタグリーダー１６０へ返信する。ＲＦタグリーダー１６０は、ＲＦタグ２１０からの返信を受け取ると、栞２００を検出したと判断する。なお、このとき、ＲＦタグがパッシブ方式やセミパッシブ方式であれば、当該返信を、ＲＦＩＤ特有の方式であるバックスキャッタ方式で行うことになる。
【００４３】
次に、所定操作が行われたか否か判断する（Ｓ１０５）。所定操作が行われるとステップＳ１１０に進み（Ｓ１０５：Ｙｅｓ）、所定操作以外の操作が行われると処理を終了する（Ｓ１０５：Ｎｏ）。所定操作とは、ユーザーが、ページ同期を行う準備（栞２００と電子書籍リーダー１００との距離を測定する準備）が整った旨を示す操作であり、ページ同期を希望する旨を示す操作でもある。ページ同期の準備とは、距離センサー１５０と露出部２３０との距離を、印刷書籍ＰＢの表紙と栞２００が介挿されたページとの距離に等しい状態にすることを言う。
より具体的には、例えば、ＲＦタグ２１０を検出した旨をディスプレイ１２０に表示するとともに、当該ＲＦタグ２１０を利用したページ同期を実行するか否かの問合せ画面をディスプレイ１２０に表示したり、ページ同期の準備が整っているか問合せる画面をディスプレイ１２０に表示したりする。すると、ユーザーは、ページ同期を行う場合、電子書籍リーダー１００の距離センサー１５０が設けられる面を印刷書籍ＰＢの表紙に当接させ、距離センサー１５０と栞２００の反射部２４０とを対面させることにより、ページ同期の準備を整え、同期を実行させる旨の操作を操作部１４０に対して行う（Ｓ１０５：Ｙｅｓ）。一方、ユーザーは、ページ同期を行わない場合、同期を実行させない旨の操作を操作部１４０に対して行う（Ｓ１０５：Ｎｏ）。
【００４４】
次に、ステップＳ１００において検出された栞２００が登録済みであるか否か判断する（Ｓ１１０）。栞２００が電子書籍リーダー１００に登録済みである場合はステップＳ１１５に進み（Ｓ１１０：Ｙｅｓ）、登録済みで無い場合はステップＳ２００の栞登録処理を実行する（Ｓ１１０：Ｎｏ）。
より具体的には、電子書籍リーダー１００のメモリー１３０に記憶されているＲＦＩＤと電子書籍ＥＢとの対応関係を参照し、ステップＳ１００において検出したＲＦＩＤがメモリー１３０に登録されている場合は、栞２００が登録済みであると判断し（Ｓ１１０：Ｙｅｓ）、登録されていない場合は、栞２００が未登録であると判断する（Ｓ１１０：Ｎｏ）。なお、栞のＲＦＩＤと電子書籍ＥＢとを対応付ける処理については、後述の栞登録処理において説明する。
【００４５】
ステップＳ１１５〜Ｓ１２５では、栞２００が介挿されているページを特定する。
まず、距離センサー１５０を制御して栞２００との距離ｄｘを測定する（Ｓ１１５）。次に、当該距離ｄｘを利用してページ数ｐｘを計算する（Ｓ１２０）。なお、このステップＳ１２０では栞２００の栞登録処理は完了しているため、メモリー１３０には栞２００のＲＦＩＤに対応付けて印刷書籍ＰＢの扉部分の厚みｄ１や印刷書籍の１ページあたりの厚みｄ０等の、印刷書籍ＰＢのページ数算出に必要な各種情報は記憶済みである。
【００４６】
図５は、印刷書籍に介挿された栞２００のページ数算出にかかるイメージ図である。同図では、栞２００を介挿された印刷書籍ＰＢを、印刷書籍ＰＢの前小口側から見て示してある。同図に示すように、印刷書籍ＰＢは第１ページの前に「扉部分」（表紙（表表紙）、見返し、扉、標題紙、前書き、索引、等）がある。ここで、距離センサー１５０は表紙と略同一平面上にあり、ステップＳ１１５で算出される距離には扉部分の厚みｄ１が含まれている。従って、制御部１１０は、下記式（１）に示す演算を行って、栞２００の介挿されているページを特定することができる。
【数１】
2012121267.tif 000003
【００４７】
以上の演算によって栞２００の介挿されているページ数ｐｘが算出されると、当該ページ数ｐｘは、ＲＦタグ２１０のＲＦＩＤもしくは電子書籍ＥＢの少なくとも一方に対応付けてメモリー１３０に記憶される（Ｓ１２５）。なお、ＲＦタグ２１０のＲＦＩＤと電子書籍ＥＢとの対応関係は栞登録処理によってメモリー１３０に記憶済みであるため、以上の処理により、電子書籍リーダー１００に登録済みの栞２００を介挿された印刷書籍ＰＢと、当該栞２００のＲＦタグ２１０の記憶媒体に記憶されたＲＦＩＤに対応付けられた電子書籍ＥＢとの間で、ページ同期を行えるようになる。
【００４８】
（３−２）栞登録処理
次に、図６を参照して栞登録処理について説明する。同図には、栞登録処理の流れをフローチャートにて示してある。栞登録処理は、本第１実施形態では、ページ同期処理のステップＳ１１０において未登録の栞２００を検出したときに開始される。
【００４９】
処理が開始されると、ディスプレイ１２０に設定画面を表示する（Ｓ２１０）。設定画面を表示するとステップＳ２１５に進む。設定画面には、印刷書籍ＰＢの選択画面が表示される。印刷書籍ＰＢの選択方法としては各種の方法が採用可能である。
【００５０】
例えば、電子書籍リーダー１００のメモリー１３０に記憶されている電子書籍ＥＢの一覧をディスプレイ１２０に表示し、ユーザーが一覧の中から何れかの電子書籍ＥＢを操作部１４０の操作により選択できるようにすることができる。
また、例えば、タイトルや作者等のような印刷書籍ＰＢの検索キーワードを操作部１４０を介して入力し、メモリー１３０に記憶されている所定のデータベースから印刷書籍ＰＢに対応する電子書籍ＥＢを検索し、検索結果の中から何れかの電子書籍ＥＢを操作部１４０の操作により選択できるようにすることができる。むろん、電子書籍リーダー１００が通信Ｉ／Ｆ（Interface）を備える場合は、インターネット上のデータベースや検索エンジンにアクセス可能とし、当該データベースや検索エンジンにおいて印刷書籍ＰＢに対応する電子書籍ＥＢを検索し、検索結果の中から何れかの電子書籍ＥＢを操作部１４０の操作により選択できるようにしてもよい。
また、印刷書籍ＰＢがＲＦタグを備える場合であって当該ＲＦタグの記憶媒体に印刷書籍ＰＢのタイトル等の書籍情報が記憶されている場合は、当該ＲＦタグからＲＦタグリーダー１６０を介して印刷書籍ＰＢの書籍情報を取得し、当該書籍情報に一致する電子書籍ＥＢを上述したメモリー１３０やインターネットやデータベースから自動的に検索し、検索結果の中から何れかの電子書籍ＥＢを操作部１４０の操作により選択できるようにすることができる。
【００５１】
ステップＳ２１５では、設定画面において電子書籍ＥＢが選択されたか否か判断する。いずれかの電子書籍ＥＢが選択されると（Ｓ２１５：Ｙｅｓ）、選択された電子書籍ＥＢに上述したステップＳ１００で取得したＲＦＩＤを対応付けてメモリー１３０に記憶し（Ｓ２２０）、ステップＳ２２５に進む。なお、電子書籍ＥＢが選択されるまでは、ステップＳ２１５を繰り返し実行する（Ｓ２１５：Ｎｏ）。以上の処理により、印刷書籍ＰＢに介挿された栞２００が電子書籍ＥＢに関連付けられる。すなわち、印刷書籍ＰＢが電子書籍リーダーに登録される。
【００５２】
ステップＳ２２５では、現時点における読了位置のページ数ｐｘの入力を受付ける。
具体的には、例えば、ユーザーからページ数の入力を受付けるＵＩをディスプレイ１２０に表示し、ユーザーは、栞２００を介挿しているページ数を操作部１４０を操作して入力する。制御部１１０は、操作部１４０を介して入力されたページ数ｐｘをＲＡＭ等に一時的に記憶する。ページ数ｐｘの入力を受付けると、ステップＳ２３０に進む。
【００５３】
ステップＳ２３０〜Ｓ２４０では、印刷書籍の扉部分の厚みｄ１を測定する。
まず、ユーザーに対し、印刷書籍ＰＢの第１ページに栞２００を介挿するように指示するとともに、介挿した後にページ同期の準備をするように指示する（Ｓ２３０）。具体的には、例えば、これらを指示する画面をディスプレイ１２０に表示する。ユーザーは、ディスプレイ１２０を見てこれらの指示を把握し、栞２００を印刷書籍ＰＢの第１ページへ介挿し、その後、電子書籍リーダー１００の距離センサー１５０が設けられる面を印刷書籍ＰＢの表紙に当接させつつ距離センサー１５０と栞２００の反射部２４０とを対面させる。
次に、栞２００が第１ページへ介挿されたこと及びページ同期の準備が完了したことを確認する（Ｓ２３５）。栞２００の介挿とページ同期の準備とが完了している場合はステップＳ２４０に進み（Ｓ２３５：Ｙｅｓ）、完了していない場合は完了するまで繰り返し確認を行う（Ｓ２３５：Ｎｏ）。具体的には、例えば、栞２００の介挿及びページ同期の準備が完了したことを示す所定の操作が行われたか否かで判断すればよく（Ｓ２３５）、この場合、ユーザーが操作部１４０に対して当該所定の操作を行うとステップＳ２４０に進み（Ｓ２３５：Ｙｅｓ）、所定の操作が行われていない場合は当該所定の操作が行われるまで繰り返し当該所定の操作の検出を試みる（Ｓ２３５：Ｎｏ）。
その後、栞２００との距離を距離センサー１５０に測定させ、測定により得られた距離を、印刷書籍ＰＢの扉部分の厚みｄ１としてＲＡＭ等に一時的に記憶する（Ｓ２４０）。
【００５４】
次に、ステップＳ２４５〜Ｓ２５５では、表紙から読書を中断したページまでの厚みｄ２を特定する。
まず、ユーザーに対し、印刷書籍ＰＢの読書を中断したページに栞２００を介挿するように指示するとともに、介挿した後にページ同期の準備をするように指示する（Ｓ２４５）。具体的には、例えば、これらを指示する画面をディスプレイ１２０に表示する。ユーザーは、ディスプレイ１２０を見てこれらの指示を把握し、栞２００を印刷書籍ＰＢの読書を中断したページへ介挿し、その後、電子書籍リーダー１００の距離センサー１５０が設けられる面を印刷書籍ＰＢの表紙に当接させつつ距離センサー１５０と栞２００の反射部２４０とを対面させる。
次に、栞２００が読書を中断したページへ介挿されたこと及びページ同期の準備が完了したことを確認する（Ｓ２５０）。栞２００の介挿とページ同期の準備とが完了している場合はステップＳ２５５に進み（Ｓ２５０：Ｙｅｓ）、完了していない場合は完了するまで繰り返し確認を行う（Ｓ２５０：Ｎｏ）。具体的には、上述した第１ページの場合と同様の手法を採用できる。
その後、栞２００との距離を距離センサー１５０に測定させ、測定により得られた距離を、表紙から読書を中断したページまでの厚みｄ２としてＲＡＭ等に一時的に記憶する（Ｓ２５５）。
【００５５】
以上のようにして、印刷書籍ＰＢの扉部分の厚みｄ１と、表紙から読書を中断したページまでの厚みｄ２と、を特定すると、印刷書籍ＰＢの１ページあたりの厚みｄ０を算出する（Ｓ２６０）。具体的には、例えば、下記（２）式に示す演算を行うことにより１ページあたりの厚みｄ０を算出することが出来る。
【数２】
2012121267.tif 000004
【００５６】
以上の演算によって栞２００の介挿されている印刷書籍ＰＢの１ページあたりの厚みｄ０が算出されると、扉部分の厚みｄ１と１ページあたりの厚みｄ０とを、ステップＳ２２０においてメモリー１３０に記憶されたＲＦＩＤと電子書籍ＥＢの少なくとも一方に対応付けて、メモリー１３０に記憶させる（Ｓ２６５）。さらに、ステップＳ２２５において入力された読了位置のページ数ｐｘを、ステップＳ２２０においてメモリー１３０に記憶されたＲＦＩＤと電子書籍ＥＢの少なくとも一方に対応付けて、メモリー１３０に記憶させる（Ｓ２６５）。
以上の栞登録処理を実行することにより、現時点における読書を終了したページ数を、栞２００に対応付けられた電子書籍ＥＢに同期させることができるようになる。また、以降に実施されるページ同期処理で栞登録処理を実行することなく印刷書籍ＰＢと電子書籍ＥＢとの間でページ同期を行うことができるようになる。
【００５７】
（３−２）電子書籍リーダーの利用形態：
以上のように構成されたページ同期システムＳ１の利用態様について、図７を参照して説明する。同図には、利用形態の一例を示してある。なお、後述する第２実施形態に説明するページ同期システムＳ２おいても、利用態様は同図に示すものと同様になる。
例えば、家やオフィス等のように広いスペースがあり印刷書籍ＰＢを広げて読むことが可能な状況であれば、同図の（１）に示すように印刷書籍ＰＢで読書する。
また、例えば、歩いている最中のように、電子書籍リーダー１００の画面を見たり印刷書籍ＰＢを広げたりすることが難しい状況では、同図の（２）に示すように、電子書籍リーダー１００が行う電子書籍ＥＢの朗読を聴く。すなわちオーディオブックに類似する利用態様である。
また、例えば、満員電車等のように印刷書籍ＰＢを出したり広げたりすることができない状況であれば、同図（３）に示すように、電子書籍リーダー１００のディスプレイ１２０に表示される電子書籍ＥＢで読書する。
【００５８】
このような利用形態では、印刷書籍ＰＢから電子書籍ＥＢへ読書メディアを移行する場合、ユーザーは、上述したページ同期処理を行うことにより、印刷書籍ＰＢで読書を中断したページ数ｐｘを電子書籍リーダー１００に取得させる。すると、電子書籍リーダー１００は、電子書籍ＥＢを開いてディスプレイ１２０に表示したり朗読を開始したりする際に、取得したページ数ｐｘに対応する箇所から表示や朗読を開始する。よって、ユーザーは、印刷書籍ＰＢで読み終わったページｐｘから、電子書籍ＥＢで読書を開始したり朗読の視聴を開始したりすることができる。
以上のように、印刷書籍ＰＢから電子書籍ＥＢへの読書メディアの移行がスムーズに行えるようになる。
【００５９】
（３−３）ページ情報の無い電子書籍のページ同期：
なお、電子書籍ＥＢのフォーマットにはページ情報が含まれないものも存在する。また、ページ情報を含んでいても、印刷書籍ＰＢと組版が異なる電子書籍ＥＢも存在する。このような場合に、印刷書籍ＰＢのページｐｘに対応する箇所を推定する方法を以下に説明する。
【００６０】
１つ目は、ページ数に応じた割合を利用する手法であり、図８を参照しつつ説明する。図８は、ページ情報の無い電子書籍と印刷書籍のページ対応関係を示す説明図であり、同図では、印刷書籍ＰＢのページｐｘに栞２００が介挿されていることがページ同期処理により特定されているものとする。ここでは、電子書籍ＥＢは、ページ情報が無かったり組版が異なったりするものの基本的な内容は印刷書籍ＰＢと同じであることを利用する。すなわち、ページ数ｐｘが印刷書籍ＰＢにおいて占めるパーセンテージを特定し、電子書籍ＥＢにおける当該パーセンテージに相当する箇所がページｐｘに対応する箇所であるものと推定する。
【００６１】
具体的には、印刷書籍ＰＢの総ページ数ｐｚを取得し、ｐｘをｐｚで除算してページ数ｐｘが印刷書籍ＰＢにおいて占める割合（ａ［％］／１００）を特定し、当該割合（ａ［％］／１００）を電子書籍ＥＢの総文字数や総行数に乗ずることにより、電子書籍ＥＢにおけるページｐｘに対応する文字や行を特定する。なお、印刷書籍ＰＢの総ページ数は、後述する変形例のように栞登録処理においてユーザーが入力している場合はこの数値を利用すればよいし、別途、ユーザーに入力させるようにしてもよい。また、通信Ｉ／Ｆを備えている場合は、インターネットに接続して印刷書籍ＰＢの総ページ数の情報を取得して利用してもよい。
【００６２】
２つ目は、ＯＣＲ（Optical Character Reader）機能と検索機能を利用する手法である。この手法を利用する場合は、電子書籍リーダー１００に、カメラ等の撮像部を備えさせるとともに、撮像部の撮影した画像に含まれる文字を認識して文字データを出力するＯＣＲ部と、を備えさせる。制御部１１０は、ＯＣＲ部の出力する文字データを含む箇所を、電子書籍ＥＢの文字データから検索することができる。
【００６３】
２つ目の手法を適用した電子書籍リーダー１００を使用するユーザーは、印刷書籍ＰＢの読書を中断して電子書籍ＥＢの読書に移行するときに、読書を中断したページを撮像部により撮像する。すると、撮像された画像に対し、ＯＣＲ部がＯＣＲを行って文字データを制御部１１０に出力し、制御部１１０は当該文字データを電子書籍ＥＢのデータから検索する。そして、文字データと最も一致する箇所を、ユーザーが印刷書籍ＰＢで読書を中断した箇所と判断する。なお、この２つ目の手法は、上述したページ同期処理における距離に基づいてページｐｘを算出する処理を行わずにページ同期を行うことが可能となる。
【００６４】
また、１つ目の手法と２つ目の手法を併用してもよい。すなわち、上述した１つ目の手法によりページｐｘに対応する箇所を推定しつつ、当該推定された箇所を中心として、２つ目の手法により文字データと最もよく一致する箇所を検索する。このように２つの手法を併用すれば、電子書籍ＥＢにページ情報が無くとも、ページｐｘに対応する箇所を高精度に特定することが可能となる。
【００６５】
（４）第２実施形態にかかる電子書籍リーダーの構成： 
次に、図９を参照して、第２実施形態にかかる電子書籍リーダー３００の電気的構成を説明する。同図は第２実施形態にかかるページ同期システムＳ２の電気的構成をブロック図にて示してあり、第１実施形態の電子書籍リーダー１００と同じ構成については図２と同じ符号を付し、以下では、これらの構成の詳細な説明を省略する。電子書籍リーダー３００は、電子書籍リーダー１００の制御主体となる制御部１１０と、文字や画像を画面に表示可能なディスプレイ１２０と、各種データを記憶可能なメモリー１３０と、ユーザーの操作入力を受付けるインターフェースとなる操作部１４０と、周囲所定範囲にあるＲＦタグからＩＤを取得するＲＦタグリーダー１６０と、通信Ｉ／Ｆ３７０と、を備えている。すなわち、電子書籍リーダー１００から距離センサー１５０を除き、通信Ｉ／Ｆ３７０を加えた構成である。むろん、電子書籍リーダー３００において距離センサーは必須構成ではないが、距離センサーを備えていても構わない。なお、本第２実施形態においては、電子書籍リーダー３００が電子書籍再生装置を構成する。
【００６６】
通信Ｉ／Ｆ３７０は、後述するブックカバー４００の備える通信Ｉ／Ｆ４６０との間で、所定の通信規格に準じた通信が可能である。通信Ｉ／Ｆ３７０の通信方式は特に限定されるものではなく、有線、無線を問わず各種の通信方式を採用可能である。
【００６７】
次に、図１０を参照して、第２実施形態にかかるブックカバー４００の形状を説明する。同図には、ブックカバー４００を印刷書籍ＰＢに装着した状態で、印刷書籍ＰＢの天側から見た平面図を示してある。同図に示すように、ブックカバー４００は、印刷書籍ＰＢの表表紙と背と裏表紙とを覆う覆い部４１０と、覆い部４１０において表表紙を覆う部分の前小口側の端から表表紙の見返し側へと折り返されて形成される栞部４２０と、覆い部４１０において裏表紙を覆う部分の前小口側の端から裏表紙の見返し側へと折り返されて形成される折返し部４３０と、覆い部４１０の表表紙側に形成される台座４４０と、を備えている。
【００６８】
栞部４２０や折返し部４３０は、例えば図１０（ａ）に示すように読書中等のようにページ同期を行わないときは、表表紙や裏表紙の見返し部分へ折り返されており通常のブックカバーと同様の使用法で使用される。一方、図１０（ｂ）に示すように印刷書籍ＰＢでの読書を中断して電子書籍ＥＢでの読書に移行するときは、栞部４２０は、読書を中断したページに介挿される。このとき、栞部４２０と台座４４０は、上述した電子書籍リーダー１００の距離センサー１５０が形成された部位と栞２００とが互いに対面するのと同様に、その一部が互いに対面するように配置されている。
【００６９】
図１１を参照して、栞部４２０と台座４４０の位置関係を説明する。同図は、読書を中断したページに栞部４２０を介挿した状態を、印刷書籍ＰＢの背側から見て示した平面図である。同図に示すように、露出部４２１，４４１が、読書を中断したページに栞部４２０を介挿した状態で互いに対面するようになっている。露出部４２１は、ブックカバー４００を印刷書籍ＰＢに装着したときに、印刷書籍ＰＢの天側に突出した栞部４２０の一部である。露出部４４１は、ブックカバー４００を印刷書籍ＰＢに装着したときに、印刷書籍ＰＢの天側に突出した台座４４０の一部である。
【００７０】
露出部４２１は、栞部４２０が印刷書籍ＰＢに介挿されると、介挿されたページとほぼ同一の平面Ａ上に維持され、露出部４４１は、台座４４０が印刷書籍ＰＢに装着されると、印刷書籍ＰＢの表紙とほぼ同一の平面Ｂ上に維持される。
露出部４４１には、露出部４２１と対面する側に、後述する距離センサー４５０が設けられている。
露出部４２１には、露出部４４１と対面する側に、反射部４４２が形成されている。反射部４４２は、上述した第１実施形態における反射部４２０と同様に、測定媒体の反射特性が良好にされている。
【００７１】
以上のようにして栞部４２０を印刷書籍ＰＢに介挿すると、栞部４２０の露出部４２１が維持される平面Ａと距離センサー４５０が維持される平面Ｂはほぼ平行になり、平面Ａと平面Ｂの距離は印刷書籍ＰＢの表紙から栞２００の介挿されたページまでの厚みにほぼ等しくなる。
なお、栞部４２０の反射部４４２と距離センサー４５０との間には、空気以外の遮蔽物が無いことが好ましいことも、上述した第１実施形態と同様である。
【００７２】
次に、図９を参照して、ブックカバー４００の電気的構成を説明する。ブックカバー４００は、距離センサー４５０、通信Ｉ／Ｆ４６０、電源４７０、ＲＦタグ４８０、を備えている。電源４７０は、基本的に、距離センサー４５０と通信Ｉ／Ｆ４６０とに電源電圧を供給するが、ＲＦタグ４８０がアクティブ方式やセミパッシブ方式の場合は、ＲＦタグ４８０に電源電圧を供給してもよい。なお、電源４７０は、内蔵式のバッテリーでもよいし、ＡＣアダプター等を介して外部電源を変換してブックカバーに所定の電源電圧を供給する電源回路であってもよい。
【００７３】
距離センサー４５０は、上述した第１実施形態の距離センサー１５０と同様に、測定媒体を用いて対象物（本第２実施形態では栞部４２０）との距離を測定し、測定結果にかかる情報を出力可能になっている。測定結果にかかる情報は、後述する通信Ｉ／Ｆ４６０を介して電子書籍リーダー３００へ送信される。
通信Ｉ／Ｆ４６０は、電子書籍リーダー３００の通信Ｉ／Ｆ３７０との間で、所定の通信規格に準じた通信が可能になっている。通信Ｉ／Ｆ４６０の通信方式は、通信Ｉ／Ｆ３７０との通信が可能であれば特に限定されるものではなく、有線、無線を問わず各種の通信方式を採用可能である。
距離センサー４５０は、通信Ｉ／Ｆ４６０を介して電子書籍リーダー３００の制御部１１０から距離の測定を指示するコマンドが入力されると、当該コマンドに従って距離の測定を行い、通信Ｉ／Ｆ４６０を介して制御部１１０へ測定結果を送信する。
【００７４】
（５）第２実施形態にかかるページ同期処理 
（５−１）ページ同期処理：
次に、図１２を参照して、第２実施形態にかかるページ同期処理について説明する。同図には、ページ同期処理をフローチャートにて示してある。同図に示すページ同期処理は、電子書籍リーダー３００の制御部１１０によって所定時間おきに周期的に実行されている。なお、同図に示すページ同期処理は図４に示すページ同期処理と共通する箇所については、簡略的に説明することにする。
【００７５】
処理が開始されると、ブックカバー４００の検出を行い（Ｓ３００）、ブックカバー４００が検出された場合はステップＳ３０５へ進み（Ｓ３００：Ｙｅｓ）、ブックカバー４００が検出されない場合は処理を終了する（Ｓ３００：Ｎｏ）。このブックカバー４００の検出にかかる処理は、上述した第１実施形態の栞２００の検出にかかる処理と同様である。
【００７６】
次に、所定操作が行われたか否か判断する（Ｓ３０５）。所定操作が行われるとステップＳ３１０に進み（Ｓ３０５：Ｙｅｓ）、所定操作以外の操作が行われると処理を終了する（Ｓ３０５：Ｎｏ）。この所定操作の有無にかかる判断処理も、上述した第１実施形態の所定操作の有無にかかる判断処理と同様である。
【００７７】
次に、ステップＳ３００において検出されたブックカバー４００が登録済みであるか否か判断する（Ｓ３１０）。ブックカバー４００が電子書籍リーダー３００に登録済みである場合はステップＳ３１５に進み（Ｓ３１０：Ｙｅｓ）、登録済みで無い場合はステップＳ４００の栞登録処理を実行する（Ｓ３１０：Ｎｏ）。この登録済みであるかの判断処理も、上述した第１実施形態の登録済みであるかの判断処理と同様である。
【００７８】
ステップＳ３１５〜Ｓ３２５では、ブックカバー４００の栞部４２０が介挿されているページを特定する。
まず、ブックカバー４００に対し、台座４４０と栞部４２０との距離の測定を指示する（Ｓ３１５）。具体的には、通信Ｉ／Ｆ３７０から距離センサー４５０に距離の測定と測定結果の出力とを指示するコマンドを送信する。このコマンドは、ブックカバー４００の通信Ｉ／Ｆ４６０が受信し、距離センサー４５０に入力される。すると、距離センサー４５０は、栞部４２０との距離ｄｘを測定し、この測定結果を通信Ｉ／Ｆ４６０を介して送信する。制御部１１０は、コマンドの送信後、距離センサー４５０から送信される測定結果を受信するまで待機し（Ｓ３２０：Ｎｏ）、距離センサー４５０から測定結果を受信すると（Ｓ３２０：Ｙｅｓ）、ステップＳ３２５に進む。
次に、当該測定結果に基づいてページ数ｐｘを算出する（Ｓ３２５）。なお、このステップＳ３２５では、栞４００の栞登録処理は完了しているため、メモリー１３０には、ブックカバー４００のＲＦタグ４８０から読取ったＲＦＩＤに対応付けて、印刷書籍ＰＢの扉部分の厚みｄ１や印刷書籍の１ページあたりの厚みｄ０等の印刷書籍ＰＢのページ数算出に必要な各種情報が記憶されているものとする。ステップＳ３２５で行うページ数ｐｘの算出も、上述した第１実施形態と同様である。
【００７９】
以上の処理によってブックカバー４００の栞部４２０の介挿されているページ数ｐｘが算出されると、当該ページ数ｐｘはメモリー１３０に記憶される（Ｓ３３０）。ページ数ｐｘは、ＲＦタグ４８０のＲＦＩＤもしくは電子書籍ＥＢの少なくとも一方に対応付けて記憶される。ＲＦタグ４８０のＲＦＩＤと電子書籍ＥＢとの対応関係は、栞登録処理によってメモリー１３０に記憶済みであるため、以上の処理により、電子書籍リーダー１００に登録済みのブックカバー４００を装着された印刷書籍ＰＢと、当該ブックカバー４００のＲＦタグ４８０の記憶媒体に記憶されたＲＦＩＤに対応付けられた電子書籍ＥＢとの間で、ページ同期を行えるようになる。
【００８０】
（５−２）栞登録処理：
次に、図１３を参照して第２実施形態にかかるブックカバー登録処理について説明する。同図にはブックカバー登録処理の流れをフローチャートにて示してある。ブックカバー登録処理はステップＳ３１０で未登録のブックカバー４００を検出したときに開始される。なお、同図に示すブックカバー登録処理は、図６に示す栞登録処理と共通する箇所については、詳細な説明を省略する。
【００８１】
処理が開始されると、第１実施形態の栞登録処理におけるステップＳ２１０と同様に、ディスプレイ１２０に設定画面を表示する（Ｓ４１０）。設定画面を表示するとステップＳ４１５に進む。
【００８２】
ステップＳ４１５では、第１実施形態の栞登録処理におけるステップＳ２１５と同様に、設定画面において電子書籍ＥＢが選択されたか否か判断する。いずれかの電子書籍ＥＢが選択されると（Ｓ４１５：Ｙｅｓ）、上述したステップＳ３００で取得したＲＦＩＤを当該ステップ４１５で選択された電子書籍ＥＢに対応付けてメモリー１３０に記憶し（Ｓ４２０）、ステップＳ４２５に進む。なお、電子書籍ＥＢが選択されるまでは、ステップＳ４１５を繰り返し実行する（Ｓ４１５：Ｎｏ）。以上の処理により、印刷書籍ＰＢに装着されたブックカバー４００が電子書籍ＥＢに関連付けられる。すなわち、印刷書籍ＰＢが電子書籍リーダー３００に登録される。
【００８３】
ステップＳ４２５では、第１実施形態の栞登録処理におけるステップＳ２２５と同様に、現時点における読了位置のページ数ｐｘの入力を受付ける。制御部１１０は、操作部１４０を介して入力されたページ数ｐｘをＲＡＭ等に一時的に記憶する。ページ数ｐｘの入力を受付けると、ステップＳ２３０に進む。
【００８４】
ステップＳ４３０〜Ｓ４４５では、印刷書籍ＰＢの扉部分の厚みｄ１を取得する。
まず、ユーザーに対し、印刷書籍ＰＢの第１ページに栞部４２０を介挿するように指示する（Ｓ４３０）。具体的には、例えば、これらを指示する画面をディスプレイ１２０に表示する。ユーザーは、ディスプレイ１２０を見てこれらの指示を把握し、栞部４２０を印刷書籍ＰＢの第１ページへ介挿する。
次に、栞部４２０が第１ページへ介挿されたことを確認する（Ｓ４３５）。栞部４２０の介挿が完了している場合はステップＳ４４０に進み（Ｓ４３５：Ｙｅｓ）、完了していない場合は完了するまで繰り返し確認を行う（Ｓ４３５：Ｎｏ）。具体的には、例えば、栞部４２０の介挿が完了したことを示す所定の操作が行われたか否かにより判断すればよく（Ｓ４３５）、この場合、ユーザーが操作部１４０に対して当該所定の操作を行うとステップＳ４４０に進み（Ｓ４３５：Ｙｅｓ）、所定の操作が行われていない場合は当該所定の操作が行われるまで繰り返し当該所定の操作の検出を試みる（Ｓ４３５：Ｎｏ）。
その後、栞部４２０との距離を距離センサー４５０に測定させ、測定により得られた距離を取得し、この距離を印刷書籍ＰＢの扉部分の厚みｄ１としてＲＡＭ等に一時的に記憶する（Ｓ４４０）。具体的には、上述したページ同期処理のステップＳ３１５，Ｓ３２０と同様に、通信Ｉ／Ｆ３７０から距離センサー４５０に距離の測定と測定結果の出力とを指示するコマンドを送信し、その返信として測定結果を受信して記録する。
【００８５】
次に、ステップＳ４４５〜Ｓ４５５では、表紙から読書を中断したページまでの厚みｄ２を特定する。
まず、ユーザーに対し、印刷書籍ＰＢの読書を中断したページに栞部４２０を介挿するように指示する（Ｓ４４５）。具体的には、例えば、これらを指示する画面をディスプレイ１２０に表示する。ユーザーは、ディスプレイ１２０を見てこれらの指示を把握し、栞部４２０を印刷書籍ＰＢの読書を中断したページへ介挿する。
次に、栞部４２０が読書を中断したページへ介挿されたことを確認する（Ｓ４５０）。栞部４２０の介挿が完了している場合はステップＳ４５５に進み（Ｓ４５０：Ｙｅｓ）、完了していない場合は完了するまで繰り返し確認を行う（Ｓ４５０：Ｎｏ）。具体的には、上述した第１ページの場合と同様の手法を採用できる。
その後、栞部４２０との距離を距離センサー４５０に測定させ、測定により得られた距離を取得し、この距離を印刷書籍ＰＢの扉部分の厚みｄ１としてＲＡＭ等に一時的に記憶する（Ｓ４５５）。具体的には、上述したページ同期処理のステップＳ３１５，Ｓ３２０と同様に、通信Ｉ／Ｆ３７０から距離センサー４５０に距離の測定と測定結果の出力とを指示するコマンドを送信し、その返信として測定結果を受信して記録することになる。
【００８６】
以上のようにして、印刷書籍ＰＢの扉部分の厚みｄ１と表紙から読書を中断したページまでの厚みｄ２とを特定すると、第１実施形態の栞登録処理におけるステップＳ２６０と同様に、印刷書籍ＰＢの１ページあたりの厚みｄ０を算出する（Ｓ４６０）。
【００８７】
以上の処理によって栞部４２０の介挿されている印刷書籍ＰＢの１ページあたりの厚みｄ０が算出されると、扉部分の厚みｄ１と１ページあたりの厚みｄ０とを、ステップＳ４２０においてメモリー１３０に記憶されたＲＦＩＤと電子書籍ＥＢの少なくとも一方に対応付けてメモリー１３０に記憶させる（Ｓ４６５）。さらに、ステップＳ４２５において入力された読了位置のページ数ｐｘを、ステップＳ４２０においてメモリー１３０に記憶されたＲＦＩＤと電子書籍ＥＢの少なくとも一方に対応付けてメモリー１３０に記憶させる（Ｓ４６５）。
以上のブックカバー登録処理を実行することにより、現時点における読書を終了したページ数を、栞部４２０に対応付けられた電子書籍ＥＢに同期させることができるようになる。また、以降に実施されるページ同期処理でブックカバー登録処理を実行することなく印刷書籍ＰＢと電子書籍ＥＢとの間でページ同期を行うことができるようになる。
【００８８】
（６）まとめと変形例： 
以上説明した第１実施形態によれば、電子書籍ＥＢの再生を行う電子書籍リーダー１００において、制御部１１０は、印刷書籍ＰＢの表紙から印刷書籍ＰＢに介挿された栞２００までの距離を表す時間ｔもしくは波数や位相差を、距離センサー１５０を利用して取得し、時間ｔもしくは波数や位相差に基づいて栞２００の介挿位置を特定し、印刷書籍ＰＢに対応付けられている電子書籍ＥＢを再生するにあたって栞２００の介挿位置に対応する箇所から再生することができるようになっている。よって、印刷書籍ＰＢでの読書を行った後に電子書籍ＥＢでの読書を行う際に、印刷書籍ＰＢで読み進んだ箇所をすぐに表示したり朗読したりすることができるようになり、電子書籍ＥＢと印刷書籍ＰＢとを相補的に利用して読書を楽しむユーザーの利便性を向上させることが可能となる。
【００８９】
また、以上説明した第２実施形態によれば、電子書籍ＥＢの再生を行う電子書籍リーダー３００において、制御部１１０は、印刷書籍ＰＢの表紙から印刷書籍ＰＢに介挿された栞部４２０までの距離を表す時間ｔもしくは波数や位相差を、距離センサー４５０を利用して取得し、時間ｔもしくは波数や位相差に基づいて栞部４２０の介挿位置を特定し、印刷書籍ＰＢに対応付けられている電子書籍ＥＢを再生するにあたって栞部４２０の介挿位置に対応する箇所から再生することができるようになっている。よって、印刷書籍ＰＢでの読書を行った後に電子書籍ＥＢでの読書を行う際に、印刷書籍ＰＢで読み進んだ箇所をすぐに表示したり朗読したりすることができるようになり、電子書籍と印刷書籍とを相補的に利用して読書を楽しむユーザーの利便性を向上させることが可能となる。
【００９０】
（６−１）変形例１：
＜電子書籍から印刷書籍へのページ同期＞
以上説明した各実施形態においては、印刷書籍ＰＢから電子書籍ＥＢへ読書メディアを移行する場合について説明したが、電子書籍ＥＢから印刷書籍ＰＢへ読書メディアを移行する際の利便性を向上させるために、電子書籍ＥＢにおいて読書を中断したページ（又は朗読を中断したページ）を表示する表示部を、栞２００もしくはブックカバー４００に設けてもよい。上述した第１実施形態に当該変形例１を適用した場合について、以下に説明する。
【００９１】
上述した第１実施形態に当該変形例１を適用するには、電子書籍リーダー１００と栞２００とに互いに通信可能な通信Ｉ／Ｆを備えさせ、さらに栞２００にディスプレイを備えさせる。むろん、栞２００には、通信Ｉ／Ｆやディスプレイを駆動するための電源も設ける。
そして、電子書籍リーダー１００、栞２００により構成されるページ同期システムＳ１においては、図６の栞登録処理におけるステップＳ２１０〜Ｓ２２０の処理を行って電子書籍ＥＢと栞２００が介挿された印刷書籍ＰＢとの対応付けを行う。
その後、電子書籍リーダー１００は、電子書籍ＥＢの読書や朗読を中断したときや所定の操作が行われたときに、読書や朗読を中断した電子書籍ＥＢのページを通信Ｉ／Ｆを介して栞２００に送信する。栞２００は、通信Ｉ／Ｆを介してページを受信すると、受信したページをディスプレイに表示する。ユーザは、当該ディスプレイを見て電子書籍ＥＢにおける読書や朗読を中断したページを認識できるため、スムーズに印刷書籍ＰＢでの読書を開始することができる。
なお、電子書籍ＥＢにページ情報が無い場合は、上述した第１実施形態において電子書籍情報ＥＢにページ情報が無いときに印刷書籍ＰＢとの同期を行う１つ目の手法とは逆の計算を行って算出した印刷書籍ＰＢのページ数を送信・表示すればよい。また、電子書籍ＥＢにおいて読書を中断したページの文章を栞２００に送信し、栞２００のディスプレイ表示させても良い。
【００９２】
（６−２）変形例２：
＜第１ページと最終ページに栞を介挿させて栞登録処理を行う＞
上述した第１実施形態や第２実施形態においては、印刷書籍ＰＢでの読書を中断して電子書籍ＥＢでの読書に移行するためのページ同期処理の中で栞登録処理を実行する場合を例にとって説明したが、むろん、栞登録処理を単独で実行してもよい。以下、印刷書籍ＰＢの読書を開始する前に実行して好適な栞登録処理を、上述した第１実施形態にかかるページ同期システムＳ１で、実行する場合について説明する。なお、以下では、図６に示す栞登録処理と共通する処理は詳細な説明を省略する。
【００９３】
図１４は、変形例２にかかる栞登録処理の流れを示すフローチャートである。同図に示す栞登録処理は、電子書籍リーダー１００において所定の操作が行われたときに開始される。
処理が開始されると、栞２００の検出を行い（Ｓ５００）、栞２００が検出された場合はステップＳ５１０へ進み（Ｓ５００：Ｙｅｓ）、栞２００が検出されない場合は処理を終了する（Ｓ５００：Ｎｏ）。
ステップＳ５１０では、ディスプレイ１２０に設定画面を表示する。設定画面を表示するとステップＳ５１５に進む。設定画面には、印刷書籍ＰＢの選択画面が表示される。印刷書籍ＰＢの選択方法としては各種の方法が採用可能である。
【００９４】
ステップＳ５１５では、設定画面において電子書籍ＥＢが選択されたか否か判断する。いずれかの電子書籍ＥＢが選択されると（Ｓ５１５：Ｙｅｓ）、選択された電子書籍ＥＢに上述したステップＳ５００で取得したＲＦＩＤを対応付けてメモリー１３０に記憶し（Ｓ５２０）、ステップＳ５２５に進む。なお、電子書籍ＥＢが選択されるまでは、ステップＳ５１５を繰り返し実行する（Ｓ５１５：Ｎｏ）。
【００９５】
ステップＳ５２５では、印刷書籍ＰＢの総ページ数ｐｚを取得する。印刷書籍ＰＢの総ページ数ｐｚは、例えば、電子書籍ＥＢがページ情報を含んでいる場合は当該電子書籍ＥＢの電子データから取得することができるし、ネットワーク上の所定のサーバに印刷書籍ＰＢのページ情報が記憶されていて当該電子書籍リーダ１００が通信Ｉ／Ｆを備えている場合は当該所定のサーバから総ページ数ｐｚを取得することができる。むろん、ユーザが操作部１４０を介して入力するようにしてもよい。総ページ数ｐｚを取得すると、ステップＳ５３０に進む。
【００９６】
ステップＳ５３０〜Ｓ５４０では、印刷書籍の扉部分の厚みｄ１を測定する。
まず、ユーザーに対し、印刷書籍ＰＢの第１ページに栞２００を介挿するように指示するとともに、介挿した後にページ同期の準備をするように指示する（Ｓ５３０）。
次に、栞２００が第１ページへ介挿されたこと及びページ同期の準備が完了したことを確認する（Ｓ５３５）。栞２００の介挿とページ同期の準備とが完了している場合はステップＳ５４０に進み（Ｓ５３５：Ｙｅｓ）、完了していない場合は完了するまで繰り返し確認を行う（Ｓ５３５：Ｎｏ）。
その後、栞２００との距離を距離センサー１５０に測定させ、測定により得られた距離を、印刷書籍ＰＢの扉部分の厚みｄ１としてＲＡＭ等に一時的に記憶する（Ｓ５４０）。
【００９７】
次に、ステップＳ５４５〜Ｓ５５５では、表紙から最終ページまでの厚みｄｚを特定する。
まず、ユーザーに対し、印刷書籍ＰＢの最終ページに栞２００を介挿するように指示するとともに、介挿した後にページ同期の準備をするように指示する（Ｓ５４５）。
次に、栞２００が最終ページへ介挿されたこと及びページ同期の準備が完了したことを確認する（Ｓ５５０）。栞２００の介挿とページ同期の準備とが完了している場合はステップＳ５５５に進み（Ｓ５５０：Ｙｅｓ）、完了していない場合は完了するまで繰り返し確認を行う（Ｓ５５０：Ｎｏ）。
その後、栞２００との距離を距離センサー１５０に測定させ、測定により得られた距離を、表紙から最終ページまでの厚みｄｚとしてＲＡＭ等に一時的に記憶する（Ｓ５５５）。
【００９８】
以上のようにして、印刷書籍ＰＢの扉部分の厚みｄ１と、表紙から最終ページまでの厚みｄｚと、を特定すると、印刷書籍ＰＢの１ページあたりの厚みｄ０を算出する（Ｓ５６０）。具体的には、例えば、下記（２）式に示す演算を行うことにより１ページあたりの厚みｄ０を算出することが出来る。
【数３】
2012121267.tif 000005
【００９９】
以上の演算によって栞２００の介挿されている印刷書籍ＰＢの１ページあたりの厚みｄ０が算出されると、扉部分の厚みｄ１と１ページあたりの厚みｄ０とを、ステップＳ５２０においてメモリー１３０に記憶されたＲＦＩＤと電子書籍ＥＢの少なくとも一方に対応付けて、メモリー１３０に記憶させる（Ｓ５６５）。
以上の栞登録処理を実行することにより、以降に実施されるページ同期処理で栞登録処理を実行することなく印刷書籍ＰＢと電子書籍ＥＢとの間でページ同期を行うことができるようになる。
【０１００】
（６−３）変形例３：
また、上述した各実施形態では、ユーザーに印刷書籍ＰＢに栞を介挿させることにより、扉部分の厚みｄ１や１ページあたりのページ厚みｄ０を取得していたが、むろん、これらの情報を予め電子書籍リーダー１００のメモリー１３０に用意しておいたり、ウェブ上の所定のサーバーに用意したりしておいてもよい。このように印刷書籍ＰＢの厚みにかかる情報が予め用意されているのであれば、図６に示す栞登録処理のステップＳ２３０〜Ｓ２６５や図１２に示す栞登録処理のステップＳ５２５〜Ｓ５６５は不要である。
【０１０１】
（６−４）変形例４：
以上説明した各実施形態では、ユーザーに対する各種の指示をディスプレイ１２０に表示するＵＩ画面で行う場合を例にとって説明したが、電子書籍リーダー１００が音声出力機能を備えていれば、これらの指示を音声で行っても構わない。
【０１０２】
（６−５）変形例５：
上述した第２実施形態では、露出部４２１や露出部４４１が印刷書籍の天側から突出する例を説明したが、むろん地側から突出させてもよいし前小口側に露出部４２１，４４１が形成されるようにしてもよい。
図１５は、前小口側に露出部４２１や露出部４４１を形成した場合の一例を印刷書籍ＰＢの天側から見て示した平面図である。同図において、栞部４２０は、実際に印刷書籍ＰＢに介挿される介挿部４２０ａと、当該介挿部４２０ａと台座４４０とを接続しつつ台座４４０から引き出して長さを調節可能な接続部４２０ｂとを備えており、接続部４２０ｂは布やフィルム等の可撓性の素材で形成される。その結果、介挿部４２０ａが印刷書籍ＰＢに介挿されると、介挿部４２０ａと接続部４２０ｂとの接続箇所は略直角に屈曲する。距離センサー４５０は、介挿部４２０ａのうち印刷書籍ＰＢに介挿されたときに印刷書籍ＰＢから露出している露出部４２０ａ１に対面するように配置されている。この露出部４２０ａ１は、上述した第２実施形態における露出部４２１に相当し、距離センサー４５０の用いる測定媒体を良好に反射する反射部が形成される。
以上説明したように、上述した第２実施形態において距離を測定するための露出部の形成箇所は、適宜に変更することが可能である。
【０１０３】
（６−６）変形例６：
上述した第２実施形態において電子書籍リーダー３００の側に設けていたＲＦタグリーダー１６０は、ブックカバー４００の通信Ｉ／Ｆ４６０と通信可能な通信Ｉ／Ｆ３７０を電子書籍リーダー３００が備えているため、ブックカバー４００の側に設けてもよい。このとき、電子書籍リーダー３００は、ブックカバー４００の備えるＲＦタグリーダーに対し、通信Ｉ／Ｆ３７０を介してＲＦタグの検出を指示するコマンドを送信したり、ＲＦタグリーダーから送信されてくるＲＦＩＤを通信Ｉ／Ｆ３７０を介して受信したりすることにより、ＲＦＩＤを取得する。
【０１０４】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【０１０５】
１００…電子書籍リーダー、１１０…制御部、１２０…ディスプレイ、１３０…メモリー、１４０…操作部、１５０…距離センサー、１６０…ＲＦタグリーダー、２００…栞、２１０…ＲＦタグ、２２０…介挿部、２３０…露出部、２４０…反射部、３００…電子書籍リーダー、３７０…通信Ｉ／Ｆ、４００…ブックカバー、４１０…覆い部、４２０…栞部、４２１…露出部、４２２…反射部、４３０…折返し部、４４０…台座、４４１…露出部、Ａ…平面、Ｂ…平面、ＥＢ…電子書籍、ＰＢ…印刷書籍、Ｓ，Ｓ１，Ｓ２…ページ同期システム
【図１】
2012121267.tif 000006
【図２】
2012121267.tif 000007
【図３】
2012121267.tif 000008
【図４】
2012121267.tif 000009
【図５】
2012121267.tif 000010
【図６】
2012121267.tif 000011
【図７】
2012121267.tif 000012
【図８】
2012121267.tif 000013
【図９】
2012121267.tif 000014
【図１０】
2012121267.tif 000015
【図１１】
2012121267.tif 000016
【図１２】
2012121267.tif 000017
【図１３】
2012121267.tif 000018
【図１４】
2012121267.tif 000019
【図１５】
2012121267.tif 000020